(57)【要約】【課題】スポーツプレーヤーの映像の撮影範囲をユーザの希望通りのものに容易に調整できるようにするとともに、たとえ地面が平らでなくとも、映像をぶれなく容易に撮影することを可能とすること。【解決手段】記録カメラ１０に、撮像部１２と、マイク１９と、記録カメラ１０の本体に設けられた先細の脚部と、撮像部１２により撮影された映像、および、マイクにより収録された音声を記憶する記憶部２２と、記憶部２２に記憶された映像および音声を、映像および音声を再生する外部の携帯端末装置に対して送信する通信部１８と、を備える。【選択図】図４
0003176463.tif 000002
【実用新案登録請求の範囲】
【請求項１】
撮像部を有するスポーツプレーヤー撮影用カメラであって、
マイクと、
前記スポーツプレーヤー撮影用カメラの本体に設けられた先細の脚部と、
前記撮像部により撮影された映像、および、前記マイクにより収録された音声を記憶する記憶部と、
該記憶部に記憶された映像および音声を、該映像および音声を再生する外部の携帯端末装置に対して送信する通信部と、
を備えることを特徴とするスポーツプレーヤー撮影用カメラ。
【請求項２】
前記スポーツプレーヤー撮影用カメラの本体をつり下げる首掛け紐をさらに備えたことを特徴とする請求項１に記載のスポーツプレーヤー撮影用カメラ。
【請求項３】
前記撮像部によりスポーツプレーヤーがボールを打つスイングの映像が撮影された場合に、該映像に基づいて、該スイングの良否を判定する判定部をさらに備えることを特徴とする請求項１または２に記載のスポーツプレーヤー撮影用カメラ。
【請求項４】
前記スポーツプレーヤー撮影用カメラは、ゴルフプレーヤー撮影用カメラであることを特徴とする請求項１〜３のいずれか１項に記載のスポーツプレーヤー撮影用カメラ。
【考案の詳細な説明】
【技術分野】
【０００１】
本考案は、撮像部を有するスポーツプレーヤー撮影用カメラに関する。
【背景技術】
【０００２】
正しいゴルフスイングを身につけることは、ゴルフ上達のための重要な要素である。そして、自分のスイングが正しいか否かを調べるためには、自分がスイングする映像を確認することが早道である。
【０００３】
ゴルフ場でスイングの映像を確認したい場合、自分のスイングを他人にデジタルカメラで撮影してもらえばよい。しかし、デジタルカメラを手で持って撮影する場合、手ぶれなどの問題が生じる。手ぶれの問題は三脚などを用いれば解消することができるが、プレーしながらデジタルカメラとともに三脚を持ち運ぶのは面倒であり、また所望する範囲を撮影できるように三脚を調整する作業も煩わしい。
【０００４】
例えば、特許文献１には、ティーグラウンドで１打目を打つ位置に目印として設置されているティーマークにカメラを備え、その位置でゴルフボールを打つゴルファーを撮影する技術が開示されている。また、特許文献１には、ティーマークの筺体部分を自立可能な形状とし、さらに取手を形成することにより筺体部分を携帯可能とすることも開示されている。
【先行技術文献】
【特許文献】
【０００５】
【特許文献１】特開２００８−６７７６３号公報
【考案の概要】
【考案が解決しようとする課題】
【０００６】
しかし、１打目のスイングにおいてティーマークを移動させることはゴルフのルール上できないこととなっている。そのため、ティーマークから後ろに下がった位置で１打目を打つ場合、スイングを真横から撮影したいと考えても、特許文献１の従来技術ではティーマークを移動するしかないため、上記ルールに反してしまう。
【０００７】
また、特許文献１には、ティーマークの筺体部分を自立可能な形状とすることが開示されているものの、具体的にどのような形状にするかは記載されていない。例えば、２打目以降のスイングを撮影する場合、地面が平らであるとは限らず、撮影を確実に行うためにはカメラを地面に対してしっかりと固定する必要があるが、特許文献１にはそれに対する具体的な方策は示されていない。
【０００８】
また、野球やテニスなどの他のスポーツにおいても、自分のスイングの映像を確認しようとする場合には、ゴルフの場合と同様に、カメラを自分の方に向け、地面に対してカメラをしっかりと固定する必要がある。
【０００９】
本考案は、上記実情に鑑み、映像の撮影範囲をユーザの希望通りのものに容易に調整できるようにするとともに、たとえ地面が平らでなくとも、映像をぶれなく容易かつ確実に撮影することが可能なスポーツプレーヤー撮影用カメラを提供することを目的とする。
【課題を解決するための手段】
【００１０】
上記課題を解決する為に、本考案の技術手段は、撮像部を有するスポーツプレーヤー撮影用カメラであって、マイクと、前記スポーツプレーヤー撮影用カメラの本体に設けられた先細の脚部と、前記撮像部により撮影された映像、および、前記マイクにより収録された音声を記憶する記憶部と、該記憶部に記憶された映像および音声を、該映像および音声を再生する外部の携帯端末装置に対して送信する通信部と、を備えることを特徴とする。
【００１１】
本考案の第２の技術手段は、第１の技術手段において、前記スポーツプレーヤー撮影用カメラの本体をつり下げる首掛け紐をさらに備えたことを特徴とする。
【００１２】
本考案の第３の技術手段は、第１または第２の技術手段において、前記撮像部によりスポーツプレーヤーがボールを打つスイングの映像が撮影された場合に、該映像に基づいて、該スイングの良否を判定する判定部をさらに備えることを特徴とする。
【００１３】
本考案の第４の技術手段は、第１〜第３のいずれかの技術手段において、前記スポーツプレーヤー撮影用カメラは、ゴルフプレーヤー撮影用カメラであることを特徴とする。
【考案の効果】
【００１４】
本考案によれば、スポーツプレーヤー撮影用カメラの本体に設けられた先細の脚部を地面にさしてスポーツプレーヤー撮影用カメラ本体を固定するため、スポーツプレーヤー撮影用カメラの位置や角度を容易に変更でき、映像の撮影範囲をユーザの希望通りのものに容易に調整できる。また、たとえ地面が平らでなくともスポーツプレーヤー撮影用カメラを容易に設置することができ、映像をぶれなく容易かつ確実に撮影することができる。
【図面の簡単な説明】
【００１５】
【図１】本考案の実施形態に係るスポーツプレーヤー撮影用カメラの外観の一例を示す図である。
【図２】スポーツプレーヤー撮影用カメラの使用状況の一例について説明する図である。
【図３】本考案の実施形態に係る映像記録システムの一例を示す図である。
【図４】本考案の実施形態に係るスポーツプレーヤー撮影用カメラの内部構成の一例を示す図である。
【図５】撮像部により撮影された映像の一例を示す図である。
【図６】スポーツプレーヤー撮影用カメラの他の保持方法について説明する図である。
【考案を実施するための形態】
【００１６】
以下、本考案の実施形態について図面を参照して詳細に説明する。なお、以下では一例として、スポーツプレーヤー撮影用カメラがゴルフプレーヤーを撮影するゴルフプレーヤー撮影用カメラである場合について説明するが、これに限定されず、野球やテニスのプレーヤーを撮影するカメラであっても良い。
【００１７】
図１は、本考案の実施形態に係るスポーツプレーヤー撮影用カメラ１０の外観の一例を示す図である。図１に示すように、このスポーツプレーヤー撮影用カメラ１０は、スポーツプレーヤー撮影用カメラ本体１１に、撮像部１２、脚部１３、撮影ボタン１４、電源ボタン１５、紐通し部１６ａ、１６ｂを備える。
【００１８】
撮像部１２は、映像を撮影する撮影デバイスである。撮像部１２のレンズには、例えば、１８０度を超える画角を有する広角レンズが用いられ、幅広い範囲の映像を撮影することができるように構成される。撮像部１２により撮影された映像のデータは、スポーツプレーヤー撮影用カメラ１０の内部に設けられた記憶デバイス（図４に示す記憶部２２）に記憶される。
【００１９】
脚部１３は、スポーツプレーヤー撮影用カメラ本体１１を地面に固定するための部材である。脚部１３は先細となっており、地面に容易に突きさせるようになっている。そのため、地面に凹凸があったり、地面が斜面であったりしても、思い通りの位置および角度でスポーツプレーヤー撮影用カメラ本体１１を設置することができ、映像の撮影範囲の調整も容易となる。
【００２０】
撮影ボタン１４は、映像の撮影、音声の収録の開始および終了を指示するためのボタンである。撮影された映像や収録された音声は、内部の記憶デバイスに記憶される。また、記憶デバイスに記憶された映像や音声は、スマートフォンなどの携帯端末装置に送信される。これにより、ユーザは自分のスイングをその場で確認することができる。
【００２１】
電源ボタン１５は、スポーツプレーヤー撮影用カメラ１０の電源をオンまたはオフにするためのボタンである。紐通し部１６ａ、１６ｂは、首掛け紐を通す穴を有する部材である。紐通し部１６ａ、１６ｂに首掛け紐を通し、スポーツプレーヤー撮影用カメラ１０を首から掛けられるようにすることにより、スポーツプレーヤー撮影用カメラ１０を設置するための時間が十分に取れない場合であっても、迅速に映像を撮影することができる。
【００２２】
図２は、スポーツプレーヤー撮影用カメラ１０の使用状況の一例について説明する図である。図２（Ａ）には、ユーザがティーショットを行う際に、２つのスポーツプレーヤー撮影用カメラ１０によりユーザのスイングを撮影し、音声を収録する場合が示されている。
【００２３】
また、図２（Ｂ）には、スポーツプレーヤー撮影用カメラ１０により撮影された映像が携帯端末装置３０に表示されている状態が示されている。この映像のデータはスポーツプレーヤー撮影用カメラ１０から受信したものである。携帯端末装置３０は、図２（Ａ）のように複数のスポーツプレーヤー撮影用カメラ１０がある場合、それぞれのスポーツプレーヤー撮影用カメラ１０から映像を受信し、ユーザからの指示に応じて、各映像を切り替えて表示する。
【００２４】
図３は、本考案の実施形態に係る映像記録システムの一例を示す図である。この映像記録システムは、スポーツプレーヤー撮影用カメラ１０、携帯端末装置３０、パーソナルコンピュータ４０、サーバ装置５０を備える。
【００２５】
携帯端末装置３０は、スポーツプレーヤー撮影用カメラ１０により撮影された映像、および、収録された音声のデータを無線通信により受信して、その映像および音声を再生する装置である。例えば、携帯端末装置３０の例として、携帯電話機やスマートフォン、ノート型パーソナルコンピュータなどが挙げられる。
【００２６】
スポーツプレーヤー撮影用カメラ１０と携帯端末装置３０との間の通信は、例えば、Ｗｉ−Ｆｉ（登録商標）やＢｌｕｅｔｏｏｔｈ（登録商標）により行われる。また、携帯端末装置３０は、無線通信により公衆ネットワーク６０に接続され、パーソナルコンピュータ４０やサーバ装置５０との間で通信が行われる。
【００２７】
パーソナルコンピュータ４０は、ユーザの自宅などにあるパーソナルコンピュータである。携帯端末装置３０により撮影された映像や収録された音声は、携帯端末装置３０からパーソナルコンピュータ４０に公衆ネットワーク６０を介して送信される。
【００２８】
または、携帯端末装置３０をパーソナルコンピュータ４０に有線ケーブルで直接接続することにより、映像や音声をパーソナルコンピュータ４０に送信することとしてもよい。ユーザは、パーソナルコンピュータ４０を用いることにより、大きな画面で高解像度の映像（例えば、ｆｕｌｌ  ＨＤの映像）を見ることができる。
【００２９】
サーバ装置５０は、さまざまなユーザからアップロードされた映像や音声のデータを記憶し、それらのデータを他のユーザに公開するサーバ装置である。例えば、サーバ装置５０は、ソーシャルネットワークのサービスをユーザに提供するサーバ装置である。ユーザは、ソーシャルネットワークのサービスを利用して映像や音声を公開することにより、ゴルファー間で映像や音声を共有することができ、情報交換をしたり、アドバイスを受けたり、ゴルファー同士の新たな繋がりを生んだりすることができる。
【００３０】
つぎに、スポーツプレーヤー撮影用カメラ１０の内部構成について説明する。図４は、本考案の実施形態に係るスポーツプレーヤー撮影用カメラ１０の内部構成の一例を示す図である。このスポーツプレーヤー撮影用カメラ１０は、図１を用いて説明した撮像部１２、撮影ボタン１４、電源スイッチ１５に加えて、無線通信用アンテナ１７、無線通信部１８、マイク１９、スピーカー２０、有線通信部２１、記憶部２２、制御部２３を備える。
【００３１】
無線通信用アンテナ１７は、他の機器との間で無線通信を行うためのアンテナである。無線通信部１８は、無線通信用アンテナ１７を介して、他の機器との間で無線通信を行う通信デバイスである。例えば、無線通信部１８は、スポーツプレーヤー撮影用カメラ１０が撮影した映像、収録した音声のデータの送信要求を携帯端末装置３０から受け付けた場合に、その映像や音声のデータを携帯端末装置３０に送信する。
【００３２】
マイク１９は、音声を収録するためのマイクである。マイク１９により収録された音声のデータは記憶部２２に記憶される。スピーカー２０は、音声を出力するためのスピーカーである。例えば、スピーカー２０は、スポーツプレーヤー撮影用カメラ１０によりなされるスイング判定についての音声を出力する。このスイング判定については、後に詳しく説明する。有線通信部２１は、ネットワークケーブルを介して他の機器との間で有線通信を行う通信デバイスである。
【００３３】
記憶部２２は、メモリやハードディスク装置などの記憶デバイスである。記憶部２２は、映像データ２２ａや音声データ２２ｂなどを記憶する。映像データ２２ａは、撮像部１２により撮影された映像のデータである。図５は、撮像部１２により撮影された映像の一例を示す図である。音声データ２２ｂは、マイク１９により収録された音声のデータである。
【００３４】
制御部２３は、スポーツプレーヤー撮影用カメラ１０の各部の制御やスポーツプレーヤー撮影用カメラ１０の各部間のデータの授受の制御、各種の演算処理などを行うＣＰＵ（Central Processing Unit）などの制御デバイスである。
【００３５】
制御部２３は、スイング判定部２３ａを備える。スイング判定部２３ａは、ユーザのスイングの映像を解析し、ユーザのスイングの良否を判定する。
【００３６】
例えば、スイング判定部２３ａは、連続するフレームの画素値の差分を取り、その差分が所定の閾値よりも大きくなっている部分を動いている部分として検出する。上記閾値を予め調整しておくことにより、スイング時のゴルフクラブを適切に検出することができる。
【００３７】
そして、スイング判定部２３ａは、連続するフレーム間で、検出されたゴルフクラブの軸がどれだけ回転したかを検出する。続いて、スイング判定部２３ａは、フレーム間隔Ｔ（ｓ）の情報、ゴルフクラブの長さＬ（ｍ）の情報、ゴルフクラブの軸の回転角度θ（度）の情報から、ヘッドスピードＶ（ｍ／ｓ）を以下の式により算出する。
Ｖ＝２πＬ×θ／３６０／Ｔ  （ｍ／ｓ）
ここで、フレーム間隔Ｔ（ｓ）の情報、ゴルフクラブの長さＬ（ｍ）の情報は予め設定されているものとする。
【００３８】
その後、スイング判定部２３ａは、算出したヘッドスピードＶを、所定の閾値と比較する。例えば、ヘッドスピードＶが所定の閾値以上である場合、スイング判定部２３ａは、スイングが「プロレベル」であると判定し、スピーカー２０からその判定結果の情報を音声により出力する。ヘッドスピードＶが所定の閾値未満である場合、スイング判定部２３ａは、スイングが「アマチュアレベル」であると判定し、スピーカー２０からその判定結果の情報を音声により出力する。
【００３９】
なお、上記ヘッドスピードの算出方法は一例であり、他の方法を用いてそれを算出することとしてもよい。また、スポーツプレーヤー撮影用カメラ１０にインジケーターを設けておき、上記判定結果をインジケーターの点滅等でユーザに知らせることとしてもよい。またここでは、スポーツプレーヤー撮影用カメラ１０がユーザのスイングの良否を判定することとしたが、この判定を携帯端末装置３０が行うこととしてもよい。
【００４０】
さらに、図１には、脚部１３を備えるスポーツプレーヤー撮影用カメラ１０について示したが、この脚部１３を取り外し可能にし、他の部材によりスポーツプレーヤー撮影用カメラ１０を保持することとしてもよい。図６は、スポーツプレーヤー撮影用カメラ１０の他の保持方法について説明する図である。
【００４１】
図６（Ａ）には、スポーツプレーヤー撮影用カメラ１０を台座７０で保持する例が示されている。地面が平らな場合、この構成によりぶれのない映像の撮影が可能となる。また、図６（Ｂ）には、スポーツプレーヤー撮影用カメラ１０を首掛け紐７１により首から下げて保持する例が示されている。スポーツプレーヤー撮影用カメラ１０を設置するための時間が十分に取れない場合、この構成により映像の迅速な撮影が可能となる。
【００４２】
なお、図６（Ｂ）の例では、図１に示した脚部１３が取り外されているが、脚部１３を取り付けたまま、首掛け紐７１をスポーツプレーヤー撮影用カメラ本体１１にさらに取り付けることとしてもよい。
【００４３】
以上、本考案の実施形態について説明してきたが、本考案の実施形態は上述した実施形態に限定されず、本考案の要旨を逸脱しない範囲内で各種の変形、修正が可能である。例えば、雨が降ってもスポーツプレーヤー撮影用カメラ１０を使用できるようにするため、スポーツプレーヤー撮影用カメラ１０に防水加工を施すこととしてもよい。
【符号の説明】
【００４４】
１０…スポーツプレーヤー撮影用カメラ、１１…スポーツプレーヤー撮影用カメラ本体、１２…撮像部、１３…脚部、１４…撮影ボタン、１５…電源ボタン、１６ａ，１６ｂ…紐通し部、１７…無線通信用アンテナ、１８…無線通信部、１９…マイク、２０…スピーカー、２１…有線通信部、２２…記憶部、２２ａ…映像データ、２２ｂ…音声データ、２３…制御部、２３ａ…スイング判定部、３０…携帯端末装置、４０…パーソナルコンピュータ、５０…サーバ装置、６０…ネットワーク、６０…機器、７０…台座、７１…首掛け紐。
【図１】
0003176463.tif 000003
【図２】
0003176463.tif 000004
【図３】
0003176463.tif 000005
【図４】
0003176463.tif 000006
【図５】
0003176463.tif 000007
【図６】
0003176463.tif 000008